(57)【要約】【課題】部品点数を減らすこと。【解決手段】タッチパネルを構成する第１の電極シートには、第１のタッチパネル検出用電極を含み第１の電極シートの少なくとも３辺に沿った形状に形成される第１の配線パターンと、第１のタッチパネル検出用電極と対向する第２のタッチパネル検出用電極を含み第１の電極シートの少なくとも１辺に沿った形状に形成される第２の配線パターンとを形成する。タッチパネルを構成する第２の電極シートには、第３のタッチパネル検出用電極を含み第２の電極シートの少なくとも１辺に沿った形状に形成される第３の配線パターンと、第３のタッチパネル検出用電極と対向する第４のタッチパネル検出用電極を含み第２の電極シートの少なくとも１辺に沿った形状に形成される第４の配線パターンとを形成する。第１の配線パターンは、第２の配線パターン乃至第４の配線パターンよりも外周側に配置され、無線給電回路と接続可能に構成される。【選択図】図１
2014229979.tif 000002
【特許請求の範囲】
【請求項１】
表示ユニットと、前記表示ユニットと重なるように配置されるタッチパネルと、無線給電回路を備える電子機器であって、
前記タッチパネルは、第１の電極シートおよび第２の電極シートを有し、
前記第１の電極シートには、第１のタッチパネル検出用電極を含み前記第１の電極シートの少なくとも３辺に沿った形状に形成される第１の配線パターンと、前記第１のタッチパネル検出用電極と対向する第２のタッチパネル検出用電極を含み前記第１の電極シートの少なくとも１辺に沿った形状に形成される第２の配線パターンが形成され、
前記第２の電極シートには、第３のタッチパネル検出用電極を含み前記第２の電極シートの少なくとも１辺に沿った形状に形成される第３の配線パターンと、前記第３のタッチパネル検出用電極と対向する第４のタッチパネル検出用電極を含み前記第２の電極シートの少なくとも１辺に沿った形状に形成される第４の配線パターンが形成され、
前記タッチパネルは、前記第１の電極シートが前記第２の電極シートより外側となるように構成され、
前記第１の配線パターンは、前記第２の配線パターン乃至前記第４の配線パターンよりも外周側に配置され、前記無線給電回路と接続可能に構成されることを特徴とする電子機器。
【請求項２】
表示ユニットと、前記表示ユニットと重なるように配置されるタッチパネルと、無線給電回路を備える電子機器であって、
前記タッチパネルは、第１の電極シートおよび第２の電極シートを有し、
前記第１の電極シートには、第１のタッチパネル検出用電極を含み前記第１の電極シートの少なくとも３辺に沿った形状に形成される第１の配線パターンと、前記第１のタッチパネル検出用電極と対向する第２のタッチパネル検出用電極を含み前記第１の電極シートの少なくとも１辺に沿った形状に形成される第２の配線パターンが形成され、
前記第２の電極シートには、第３のタッチパネル検出用電極を含み前記第２の電極シートの少なくとも１辺に沿った形状に形成される第３の配線パターンと、前記第３のタッチパネル検出用電極と対向する第４のタッチパネル検出用電極を含み前記第２の電極シートの少なくとも１辺に沿った形状に形成される第４の配線パターンが形成され、
前記タッチパネルは、前記第２の電極シートが前記第１の電極シートより外側となるように構成され、
前記第１の配線パターンは、前記第２の配線パターン乃至前記第４の配線パターンよりも外周側に配置され、前記無線給電回路と接続可能に構成されることを特徴とする電子機器。
【請求項３】
前記表示ユニットはヒンジ部を介して前記電子機器の本体部に取り付けられており、
前記表示ユニットを反転収納したかどうかを検出可能な第１の検出部と、
前記電子機器の重力方向を検出可能な第２の検出部と、を有し、
前記第１の検出部にて前記表示ユニットが反転収納されていることが検出され、前記第２の検出部にて前記表示ユニットの表示面が重力方向下側を向いていることが検出されるときに、前記第１の配線パターンが前記無線給電回路と接続されることを特徴とする請求項１または２に記載の電子機器。
【発明の詳細な説明】
【技術分野】
【０００１】
本発明は、タッチパネルを有するとともに無線給電可能な電子機器に関する。
【背景技術】
【０００２】
従来、特許文献１に開示されているように、表示ユニットの表示面とは反対側の面に無線給電アンテナを配置することで無線給電可能な撮像装置が知られている。また、近年、撮像装置の表示ユニットにタッチパネルが搭載されている製品が市場に多く投入されていることから、表示ユニットに無線給電アンテナおよびタッチパネルが搭載されることが予想される。
【先行技術文献】
【特許文献】
【０００３】
【特許文献１】特開２０１０−１０９４６３号公報
【発明の概要】
【発明が解決しようとする課題】
【０００４】
しかしながら、表示ユニットに、タッチパネルおよび無線給電アンテナを搭載する場合、それぞれを固定するための形状や部品が必要となる。また、タッチパネルおよび無線給電アンテナそれぞれから、表示ユニットへ電気的接続をするためのフレキシブルプリント基板、ワイヤー、コネクタ等の電気接続部品が必要である。
【０００５】
このような課題を鑑みて、本発明は、部品点数を減らすことを目的とする。
【課題を解決するための手段】
【０００６】
本発明の一側面としての電子機器は、表示ユニットと、前記表示ユニットと重なるように配置されるタッチパネルと、無線給電回路を備える電子機器であって、前記タッチパネルは、第１の電極シートおよび第２の電極シートを有し、前記第１の電極シートには、第１のタッチパネル検出用電極を含み前記第１の電極シートの少なくとも３辺に沿った形状に形成される第１の配線パターンと、前記第１のタッチパネル検出用電極と対向する第２のタッチパネル検出用電極を含み前記第１の電極シートの少なくとも１辺に沿った形状に形成される第２の配線パターンが形成され、前記第２の電極シートには、第３のタッチパネル検出用電極を含み前記第２の電極シートの少なくとも１辺に沿った形状に形成される第３の配線パターンと、前記第３のタッチパネル検出用電極と対向する第４のタッチパネル検出用電極を含み前記第２の電極シートの少なくとも１辺に沿った形状に形成される第４の配線パターンが形成され、前記タッチパネルは、前記第１の電極シートが前記第２の電極シートより外側となるように構成され、前記第１の配線パターンは、前記第２の配線パターン乃至前記第４の配線パターンよりも外周側に配置され、前記無線給電回路と接続可能に構成されることを特徴とする。
【発明の効果】
【０００７】
本発明によれば、部品点数を減らすことができる。
【図面の簡単な説明】
【０００８】
【図１】本発明の実施形態に係る撮像装置の外観斜視図である。
【図２】撮像装置の構成を示すブロック図である。
【図３】表示部の断面図である。
【図４】実施例１の電極シートの分解図である。
【図５】撮像装置の動作フロー図である。
【図６】実施例１の電極シートの配線パターンである。
【図７】実施例２の電極シートの分解図である。
【図８】実施例２の電極シートの配線パターンである。
【図９】実施例３の電極シートの分解図である。
【図１０】実施例３の電極シートの配線パターンである。
【図１１】実施例４の電極シートの分解図である。
【図１２】実施例４の電極シートの配線パターンである。
【発明を実施するための形態】
【０００９】
以下、本発明の実施例について、図面を参照しながら詳細に説明する。各図において、同一の部材については同一の参照番号を付し、重複する説明は省略する。
【実施例１】
【００１０】
図１は、本発明の実施形態に係る電子機器としてのビデオカメラ１の外観斜視図である。ビデオカメラ１は、本体部１０と液晶ディスプレイ（ＬＣＤ）等の表示器に表示を行う表示ユニット２０から構成されている。表示ユニット２０には、タッチパネルと無線給電アンテナが一体化され、配置されている。
【００１１】
図１（ａ）は、表示ユニット２０を開いた状態を後方（撮影者側）から見た斜視図である。ヒンジ部３０は、それぞれ回動可能となるように本体部１０と表示ユニット２０とを連結している。
【００１２】
図１（ｂ）は、表示ユニット２０の表示面を反転させ、表示面が本体部１０の外側を向いた状態で表示ユニット２０が本体部１０の側面に沿って収納した状態（以下、反転収納状態という）の斜視図である。ヒンジ部３０には第１の検出部として用いられる回転検出スイッチ（不図示）が配置されており、表示ユニット２０が反転収納状態であることを検出することができる。
【００１３】
図１（ｃ）は、無線給電を行っている状態の斜視図である。このとき、表示ユニット２０は、反転収納状態である。ビデオカメラ１は、表示ユニット２０が無線電力供給装置５の表面に設けられた電力供給コイル５０に向かい合うように、無線電力供給装置５上に配置される。電力供給コイル５０と表示ユニット２０の内部に搭載された無線給電アンテナとが向きあうことによりビデオカメラ１に電力供給を行う。
【００１４】
図２は、ビデオカメラ１の構成を示すブロック図である。
【００１５】
撮影レンズ１００は、フォーカスレンズやズームレンズから構成される。撮像部１０１は、光学像を電気信号に変換するＣＣＤやＣＭＯＳ素子等で構成される。Ａ／Ｄ変換器１０２は、撮像部１０１から出力されるアナログ信号をデジタル信号に変換する。
【００１６】
Ａ／Ｄ変換器１０２からの出力データは、メモリ制御部１０３を介して、メモリ１０４に直接書き込まれる。メモリ１０４は、所定枚数の静止画像や所定時間の動画像および音声を格納するのに十分な記憶容量を備えており、Ａ／Ｄ変換器１０２によりデジタルデータに変換された画像データや、表示ユニット２０に表示するための画像データを格納する。また、メモリ１０４は、画像表示用のメモリ（ビデオメモリ）を兼ねている。
【００１７】
システム制御部１０５は、ビデオカメラ１全体を制御する。
【００１８】
記録媒体１０６は、メモリカード等の記録媒体であり、半導体メモリや磁気ディスク等から構成される。
【００１９】
ジャイロセンサー１０７は、ビデオカメラ１の重力方向を検出可能な第２の検出部として用いられる。
【００２０】
電源制御部１０８は、電池検出回路、ＤＣ−ＤＣコンバータ、通電するブロックを切り替えるスイッチ回路等により構成され、電池の装着の有無、電池の種類、電池残量の検出を行う。また、電源制御部１０８は、その検出結果およびシステム制御部１０５の指示に基づいてＤＣ−ＤＣコンバータを制御し、必要な電圧を必要な時間、各部へ供給する。
【００２１】
電源部１０９は、アルカリ電池、リチウム電池等の一次電池、ニッケル・カドミウム（ＮｉＣｄ）電池、ニッケル・水素（ＮｉＭＨ）電池、リチウム（Ｌｉ）電池等の二次電池、ＡＣアダプター等によって構成される。
【００２２】
無線給電アンテナ一体型タッチパネル（以下、タッチパネルという）２００は、タッチパネルと無線給電アンテナを有する。
【００２３】
選択部２１２は、システム制御部１０５からの指令によって、タッチパネル２００をタッチパネル回路２１０に接続するか、無線給電回路２１１に接続するかを選択する。
【００２４】
タッチパネル回路２１０に接続されると、タッチパネル２００はシステム制御部１０５に各種の動作指示を入力するための操作手段となる。利用者は、タッチパネル２００に表示されたメニュー画面を直接触れて動作指示を入力することができるため、直感的に各種設定を行うことができる。
【００２５】
無線給電回路２１１に接続されると、電源制御部１０８を介して、外部から供給される電源を電源部１０９に供給する。
【００２６】
次に、表示ユニット２０の構成について図３を用いて説明する。図３は、表示ユニット２０の断面図である。
【００２７】
液晶表示装置２０１は、撮像部１０１からの映像を表示する。バックライト装置２０２は、液晶表示装置２０１を背面から照射する。これにより、ユーザーは表示された映像を見ることができる。外観カバー２０３は、液晶表示装置２０１の表示面側の外観を覆っている。また、外観カバー２０３は、タッチパネル２００を固定している。回路基板２０４は、液晶表示装置２０１、バックライト装置２０２、タッチパネル２００を制御するための回路を搭載している。外観カバー２０５は、表示ユニット２０の表示方向と反対の外観面を覆うためのカバーである。
【００２８】
次に、タッチパネル２００内の電極シートの構成について、図４を用いて説明する。図４は、電極シートの分解図である。本実施形態では、抵抗膜方式のタッチパネルを用いている。
【００２９】
本実施例の電極シートは、上部電極シート２０００と下部電極シート２００１から構成されている。上部電極シート２０００には、上部電極シート２０００の少なくとも３辺に沿った形状に形成される第１の配線パターンａ１と、上部電極シート２０００の少なくとも１辺に沿った形状に形成される第２の配線パターンａ３が形成される。第１の配線パターンａ１には端子Ａ１、端子Ａ５および左側電極部２００２が形成され、左側電極部２００２はタッチパネル検出用電極として機能する。第２の配線パターンａ３には端子Ａ３および右側電極部２００３が形成され、右側電極部２００３はタッチパネル検出用電極として機能する。左側電極部２００２と右側電極部２００３は互いに対向する位置関係となっている。
【００３０】
下部電極シート２００１には、下部電極シート２００１の少なくとも１辺に沿った形状に形成される第３の配線パターンａ２と、下部電極シート２００１の少なくとも１辺に沿った形状に形成される第４の配線パターンａ４が形成される。第３の配線パターンａ２には端子Ａ２および上側電極部２００４が形成され、上側電極部２００４はタッチパネル検出用電極として機能する。第４の配線パターンａ４には端子Ａ４および下側電極部２００５が形成され、下側電極部２００５はタッチパネル検出用電極として機能する。上側電極部２００４と下側電極部２００５は互いに対向する位置関係となっている。
【００３１】
次に、ビデオカメラ１の動作モードについて、図５を用いて説明をする。図５は、ビデオカメラ１の動作フロー図であり、「Ｓ」はステップの略である。本実施形態の撮像装置には、少なくともタッチパネル入力モードと無線給電アンテナモードがある。
【００３２】
まず、ビデオカメラ１に電源を入れる（Ｓ５０１）と、ヒンジ部３０の回転検出スイッチが表示ユニット２０の位置を検出する（Ｓ５０２）。表示ユニット２０が反転収納状態でないと検出された場合（Ｓ５０３）、ビデオカメラ１はタッチパネルモードになる（Ｓ５０４）。また、表示ユニット２０が反転収納状態であると検出された場合、ジャイロセンサー１０７でビデオカメラ１のに作用している重力方向を検出する（Ｓ５０５）。表示面が重力方向下側を向いていると検出された場合（Ｓ５０６）、ビデオカメラ１は無線給電モードになる（Ｓ５０７）。また、表示面が重力方向下側を向いていないと検出された場合（Ｓ５０６）、ビデオカメラ１はタッチパネルモードになる（Ｓ５０４）。
【００３３】
次に、図６と表１を用いてタッチパネルを使用した際に使用する配線パターンと、無線給電アンテナを使用した際に使用する配線パターンの使い分けについて説明する。図６は、上部電極シート２０００と下部電極シート２００１を一体化した状態を示している。表１は、モードと接続する端子との関係を示している。
【００３４】
まず、タッチパネルモード使用時について説明する。タッチパネルモード使用時には、表１に示すように、端子Ａ１〜Ａ４をタッチパネル回路２１０に接続する。上部電極シート２０００と下部電極シート２００１との間には微少な隙間が設けられており、通常はこの隙間がスペーサ等により確保されている。上部電極シート２０００が押されると、上部電極シート２０００と下部電極シート２００１が接触する。このとき、上下左右に配置された複数のタッチパネル検出用電極によってタッチされた位置を検出し、システム制御部１０５により表示や操作の制御を行う。
【００３５】
次に、無線給電モード使用時について説明する。無線給電モード使用時には、表１に示すように端子Ａ１、Ａ５を無線給電回路２１１に接続する。配線パターンａ１は無線給電回路２１１に接続可能に構成され、液晶表示装置２０１を略全周覆うループ形状になっている。配線パターンａ１は、配線パターンａ２〜ａ４より外周側に配置されているため、アンテナの面積を大きくすることができる。また、上部電極シートに配線パターンａ１を配置することにより、無線電力供給装置５との距離が接近することにより給電効率を上げることができる。
【００３６】
以上説明したように、タッチパネル用の電極と、無線給電アンテナの電極を共有することにより、部品点数を減らすことができる。
【００３７】
【表１】
2014229979.tif 000003
【実施例２】
【００３８】
図７には、実施例２の電極シートを示している。他の構成については、実施例１と同じ構成であるものとし、その説明を省略する。
【００３９】
本実施例の電極シートは、上部電極シート２１００と下部電極シート２１０１から構成されている。下部電極シート２１０１には、下部電極シート２１０１の少なくとも３辺に沿った形状に形成される第１の配線パターンｂ１と、下部電極シート２１０１の少なくとも１辺に沿った形状に形成される第２の配線パターンｂ３が形成される。第１の配線パターンＢ１には端子Ｂ１、端子Ｂ５および上側電極部２１０４が形成され、上側電極部２１０４が形成はタッチパネル検出用電極として機能する。第２の配線パターンｂ３には端子Ｂ３および下側電極部２１０５が形成され、下側電極部２１０５はタッチパネル検出用電極として機能する。上部電極シート２１００には、上部電極シート２１００の少なくとも１辺に沿った形状に形成される第３の配線パターンｂ２と、上部電極シート２１００の少なくとも１辺に沿った形状に形成される第４の配線パターンｂ４が形成される。第３の配線パターンｂ２には端子Ｂ２および右側電極部２１０３が形成され、右側電極部２１０３はタッチパネル検出用電極として機能する。第４の配線パターンｂ４には端子Ｂ４および左側電極部２１０２が形成され、左側電極部２１０２はタッチパネル検出用電極として機能する。
【００４０】
次に、図８と表２を用いてタッチパネルを使用した際に接続する端子と、無線給電アンテナを使用した際に接続する端子の使い分けについて説明する。図８は、上部電極シート２１００と下部電極シート２１０１を一体化した状態を示している。表２は、モードと接続する端子との関係を示している。
【００４１】
まず、タッチパネルモード使用時について説明する。タッチパネルモード使用時には、表２に示すように、端子Ｂ１〜Ｂ４をタッチパネル回路２１０に接続する。上部電極シート２１００と下部電極シート２１０１との間には微少な隙間が設けられており、通常はこの隙間がスペーサ等により確保されている。上部電極シート２１００が押されると、上部電極シート２１００と下部電極シート２１０１が接触する。このとき、上下左右に配置された複数のタッチパネル検出用電極によってタッチされた位置を検出し、システム制御部１０５により表示や操作の制御を行う。
【００４２】
次に、無線給電モード使用時について説明する。無線給電モード使用時には、表２に示すように端子Ｂ１、Ｂ５を無線給電回路２１１に接続する。配線パターンｂ１は無線給電回路２１１に接続可能に構成され液晶表示装置２０１を略全周覆うループ形状になっている。配線パターンｂ１は、配線パターンｂ２〜ｂ４より外周側に配置されているため、アンテナの面積を大きくすることができる。
【００４３】
【表２】
2014229979.tif 000004
【実施例３】
【００４４】
図９には、実施例３の電極シートを示している。他の構成については、実施例１と同じ構成であるものとし、その説明を省略する。
【００４５】
本実施例の電極シートは、上部電極シート２２００と下部電極シート２２０１から構成されている。上部電極シート２２００には、左側電極部２２０２と右側電極部２２０３が形成されている。下部電極シート２２０１には、下部電極シート２２０１の少なくとも３辺に沿った形状に形成される第１の配線パターンｃ１と、下部電極シート２２０１の少なくとも１辺に沿った形状に形成される第２の配線パターンｃ３が形成される。第１の配線パターンｃ１には端子Ｃ１、端子Ｃ５および下側電極部２２０５が形成され、下側電極部２２０５はタッチパネル検出用電極として機能する。第２の配線パターンｃ３には端子Ｃ３および上側電極部２２０４が形成され、上側電極部２２０４はタッチパネル検出用電極として機能する。
【００４６】
上部電極シート２２００には、上部電極シート２１００の少なくとも１辺に沿った形状に形成される第３の配線パターンｃ２と、上部電極シート２２００の少なくとも１辺に沿った形状に形成される第４の配線パターンｃ４が形成される。第３の配線パターンｃ２には端子Ｃ２および左側電極部２２０２が形成され、左側電極部２２０２はタッチパネル検出用電極として機能する。第４の配線パターンｃ４には端子Ｃ４および右側電極部２２０３が形成され、右側電極部２２０３はタッチパネル検出用電極として機能する。
【００４７】
次に、図１０と表３を用いてタッチパネルを使用した際に接続する端子と、無線給電アンテナを使用した際に接続する端子の使い分けについて説明する。図１０は、上部電極シート２２００と下部電極シート２２０１を一体化した状態を示している。表３は、モードと接続する端子との関係を示している。
【００４８】
まず、タッチパネルモード使用時について説明する。タッチパネルモード使用時には、表３に示すように、端子Ｃ２〜Ｃ５をタッチパネル回路２１０に接続する。上部電極シート２２００と下部電極シート２２０１との間には微少な隙間が設けられており、通常はこの隙間がスペーサ等により確保されている。上部電極シート２２００が押されると、上部電極シート２２００と下部電極シート２２０１が接触する。このとき、上下左右に配置された複数のタッチパネル検出用電極によってタッチされた位置を検出し、システム制御部１０５により表示や操作の制御を行う。
【００４９】
次に、無線給電モード使用時について説明する。無線給電モード使用時には、表３に示すように端子Ｃ１、Ｃ５を無線給電回路２１１に接続する。このとき、配線パターンｃ１は無線給電回路２１１に接続可能に構成され液晶表示装置２０１を略全周覆うループ形状になっている。配線パターンｃ１は、配線パターンｃ２〜ｃ４より外周側に配置されているため、アンテナの面積を大きくすることができる。
【００５０】
【表３】
2014229979.tif 000005
【実施例４】
【００５１】
図１１には、実施例４の電極シートを示している。他の構成については、実施例１と同じ構成であるものとし、その説明を省略する。
【００５２】
本実施例の電極シートは、上部電極シート２３００と下部電極シート２３０１から構成されている。上部電極シート２３００には、上部電極シート２３００の少なくとも３辺に沿った形状に形成される第１の配線パターンｄ１と、上部電極シート２３００の少なくとも１辺に沿った形状に形成される第２の配線パターンｄ３が形成される。第１の配線パターンｄ１には端子Ｄ１、端子Ｄ５および右側電極部２３０３が形成され、右側電極部２３０３はタッチパネル検出用電極として機能する。第２の配線パターンｄ３には端子Ｄ３および左側電極部２３０２が形成され、左側電極部２３０２はタッチパネル検出用電極として機能する右側電極部２３０３と左側電極部２３０２は互いに対向する位置関係となっている。
【００５３】
下部電極シート２３０１には、下部電極シート２３０１の少なくとも１辺に沿った形状に形成される第３の配線パターンｄ２と、下部電極シート２３０１の少なくとも１辺に沿った形状に形成される第４の配線パターンｄ４が形成される。第３の配線パターンｄ２には端子Ｄ２および下側電極部２３０５が形成され、下側電極部２３０５はタッチパネル検出用電極として機能する。第４の配線パターンｄ４には端子Ｄ４および上側電極部２３０４が形成され、上側電極部２３０４はタッチパネル検出用電極として機能する。上側電極部２３０４と下側電極部２３０５は互いに対向する位置関係となっている。
【００５４】
次に、図１２と表４を用いてタッチパネルを使用した際に接続する端子と、無線給電アンテナを使用した際に接続する端子について説明する。図１２は、上部電極シート２３００と下部電極シート２３０１を一体化した状態を示している。表４は、モードと接続する端子との関係を示している。
【００５５】
まず、タッチパネルモード使用時について説明する。タッチパネルモード使用時には、表４に示すように、端子Ｄ１〜Ｄ４をタッチパネル回路２１０に接続する。上部電極シート２３００と下部電極シート２３０１との間には微少な隙間が設けられており、通常はこの隙間がスペーサ等により確保されている。上部電極シート２３００が押されると、上部電極シート２３００と下部電極シート２３０１が接触する。このとき、上下左右に配置された複数のタッチパネル検出用電極によってタッチされた位置を検出し、システム制御部１０５により表示や操作の制御を行う。
【００５６】
次に、無線給電モード使用時について説明する。無線給電モード使用時には、表３に示すように端子Ｄ１、Ｄ５を無線給電回路２１１に接続する。配線パターンｄ１は無線給電回路２１１に接続可能に構成され、液晶表示装置２０１を略全周覆うループ形状になっている。配線パターンｄ１は、配線パターンｄ２〜ｄ４より外周側に配置されているため、アンテナの面積を大きくすることができる。
【００５７】
【表４】
2014229979.tif 000006
【００５８】
なお、本実施例では、上述したように上部電極シートに短辺の電極を配置し、下部電極シートに長辺の電極を配置したが、上部電極シートに長辺の電極を配置し、下部電極シートに短辺の電極を配置しても良い。
【００５９】
また、実施例１〜４まで説明したが、実施例１のように、電極の引き出し口と対向する位置に配置された電極をタッチパネル検出用電極と無線給電アンテナの共用とすることで、左側電極部の外側に接続用の配線を設置しなくて良い。そのため、表示部の小型化が可能となる。
【００６０】
以上、本発明の好ましい実施形態について説明したが、本発明はこれらの実施形態に限定されず、その要旨の範囲内で種々の変形及び変更が可能である。
【符号の説明】
【００６１】
１        ビデオカメラ
２１２    切り替えスイッチ（選択部）
２００２  左側電極部
２００３  右側電極部
２００４  上側電極部
２００５  下側電極部
【図１】
2014229979.tif 000007
【図２】
2014229979.tif 000008
【図３】
2014229979.tif 000009
【図４】
2014229979.tif 000010
【図５】
2014229979.tif 000011
【図６】
2014229979.tif 000012
【図７】
2014229979.tif 000013
【図８】
2014229979.tif 000014
【図９】
2014229979.tif 000015
【図１０】
2014229979.tif 000016
【図１１】
2014229979.tif 000017
【図１２】
2014229979.tif 000018